(57)【特許請求の範囲】
【請求項１】
便器上に固定設置されるベース板上に、洗浄水を貯める水タンクと、圧縮機と凝縮器と減圧器と蒸発器と送風機とを有する冷凍サイクルによる冷房手段とを配設し、かつ圧縮機と減圧器と蒸発器と送風機は水タンクの一側部に、凝縮器は水タンク内に配設し、ベース板上に、圧縮機と圧縮機の周面の少なくとも一部を覆って上方に延びる支柱部と圧縮機の上部を覆うとともに周縁にリブを立ち上げ形成した支持板部とを有する支持ブラケットを取付け、支持板部上に蒸発器と送風機を設置し、これら水タンクと冷房手段をケース内に収納したことを特徴とする衛生洗浄装置。
【請求項２】
圧縮機と凝縮器と減圧器と蒸発器と送風機とをユニット化した冷房手段をベース板上に水タンクが設置された状態で着脱可能に取付けたことを特徴とする請求項１記載の衛生洗浄装置。
【請求項３】
蒸発器と送風機を通風空間をあけて並列して配設したことを特徴とする請求項１又は２記載の衛生洗浄装置。
【請求項４】
蒸発器の周壁をフィン群の端面より長く延出し、その周壁の延出端に送風機を取付けたことを特徴とする請求項３記載の衛生洗浄装置。
【請求項５】
ベース板に冷房手段の取付基板を取付け、取付基板に防振部材を介して圧縮機を取付けるとともに、取付基板に蒸発器と送風機と凝縮器を支持する支持ブラケットを取付けたことを特徴とする請求項１〜４の何れか１項に記載の衛生洗浄装置。
【請求項６】
凝縮器は水タンクの後背面に沿って配設した蛇行配管部材にて構成したことを特徴とする請求項１〜５の何れか１項に記載の衛生洗浄装置。
【請求項７】
水道水を水タンクに供給する給水配管系を、水タンクの冷房手段配設側とは反対側に配設したことを特徴とする請求項１又は２記載の衛生洗浄装置。
【請求項８】
水タンクの前面に沿って制御基板を配設したことを特徴とする請求項１又は２記載の衛生洗浄装置。
【請求項９】
便器上に固定設置されるベース板上に、洗浄水を貯める水タンクと、圧縮機と凝縮器と減圧器と蒸発器と送風機とを有する冷凍サイクルによる冷房手段とを配設した衛生洗浄装置において、水タンクを中央に排水口を有し両側部が後方に延出された横断面コ字状に構成し、コ字状に囲まれた空間内に冷房手段の圧縮機と減圧器と蒸発器と送風機を配設し、凝縮器は水タンク内に配設したことを特徴とする衛生洗浄装置。
【請求項１０】
冷房手段は、水タンクが設置された状態でベース板に着脱可能なユニットに構成したことを特徴とする請求項９記載の衛生洗浄装置。
【発明の詳細な説明】
【０００１】
【発明の属する技術分野】
本発明は衛生洗浄装置に関し、特に冷房手段を備えた衛生洗浄装置に関するものである。
【０００２】
【従来の技術】
従来から、冷凍サイクルを用いかつその凝縮器の冷却手段として水タンク内の洗浄水を利用する冷房手段を設けた衛生洗浄装置は、例えば実開昭６３−１９０３７３号公報、特開平９−１５２１４２号公報、特開２０００−７９０７７号公報などにより知られている。
【０００３】
【発明が解決しようとする課題】
ところが、上記実開昭６３−１９０３７３号公報の構成では、冷凍サイクルの凝縮器は水タンク内に、蒸発器は水タンクの上部や上方側部に、圧縮機は衛生洗浄装置の設置面の水タンク下方位置や衛生洗浄装置の側部に配設され、それぞればらばらに配設されているので、設置スペースが必要になるとともに、設置工事に大変な手間とコストがかかり、手入れにも手間がかかるという問題があり、また蒸発器が水タンクの上部に配置した場合、水タンク内の水温上昇に伴って蒸発器の放熱効果が低下し、冷房能力が低下するという問題がある。
【０００４】
また、特開平９−１５２１４２号公報の構成では、凝縮器を除いて冷房手段が衛生洗浄装置と分離して配設されているので、上記と同様に設置スペースが必要になるとともに、設置工事に大変な手間とコストがかかり、手入れにも手間がかかるという問題がある。
【０００５】
また、特開２０００−７９０７７号公報の構成では、冷凍サイクルの凝縮器は水タンク内に、蒸発器や圧縮機は水タンクの上部に配設され、便器本体の後部上方に立設されたタンクケース内に収納配置しているので、設置スペースがコンパクトになるとともに、設置工事や手入れも比較的簡単になるが、冷房手段がタンクカバー内の水タンクの上部に配設されているので、タンクケース内の上部重量が大きくなって支持構造が不安定となり、特に重量が大でかつ大きな支持強度が必要とされる圧縮機も水タンクの上部に配設されているので、タンクカバー内の各機器の支持部材が大型化して重量及びコストが高くなり、また蒸発器が水タンクの上部に配設されているため、水タンク内の水温上昇に伴って蒸発器の放熱効果が低下し、冷房能力が低下するという問題がある。
【０００６】
本発明は、上記従来の問題点に鑑み、冷房手段を備えながら、設置スペースがコンパクトで、設置工事や手入れも簡単にでき、かつ冷房手段の支持構成が軽量安価で、便器後部の重量バランスが良くて安定性の良い衛生洗浄装置を提供することを目的とする。
【０００７】
【課題を解決するための手段】
本発明の衛生洗浄装置は、便器上に固定設置されるベース板上に、洗浄水を貯める水タンクと、圧縮機と凝縮器と減圧器と蒸発器と送風機とを有する冷凍サイクルによる冷房手段とを配設し、かつ圧縮機と減圧器と蒸発器と送風機は水タンクの一側部に、凝縮器は水タンク内に配設し、ベース板上に、圧縮機と圧縮機の周面の少なくとも一部を覆って上方に延びる支柱部と圧縮機の上部を覆うとともに周縁にリブを立ち上げ形成した支持板部とを有する支持ブラケットを取付け、支持板部上に蒸発器と送風機を設置し、これら水タンクと冷房手段をケース内に収納したものであり、便器上に固定設置されるベース板上において水タンクの側部に冷房手段を配設してケース内に収納しているので、設置スペースがコンパクトで、設置工事や手入れも簡単にでき、かつ冷房手段を水タンクの側部に配置しているので直接ベース板に支持させることができ、軽量安価な支持構成にできるとともに便器後部の重量バランスを良くして高い安定性を得ることができる。また、圧縮機上のデッドスペースに蒸発器と送風機を配設することでコンパクトに構成でき、また冷房手段を構成する機器の内で重量の大きい圧縮機をベース板上に配設していることで、より一層軽量安価な支持構成にできるとともに便器後部の重量バランスを良くして高い安定性を得ることができる。また、前記支柱部と支持板部とを有する支持ブラケットの支持板部上に蒸発器を設置しているので、蒸発器を圧縮機の上部に配設しながら蒸発器で発生した結露水や周囲からの飛散水滴が圧縮機の充電部にかかるのを確実に防止できる。
【０００８】
また、圧縮機と凝縮器と減圧器と蒸発器と送風機とをユニット化した冷房手段をベース板上に水タンクが設置された状態で着脱可能に取付けると、設置工事やメンテナンスも簡単にできる。
【００１１】
また、蒸発器と送風機を通風空間をあけて並列して配設すると、蒸発器と送風機の並列配置によってコンパクトな構成とすることができるとともにそれらの間に比較的小さな通風空間をあけるだけで蒸発器の全面を有効利用できて高い熱効率を確保することができる。また、蒸発器の周壁をフィン群の端面より長く延出し、その周壁の延出端に送風機を取付けると、簡単な構成にて上記作用効果が得られるとともに、蒸発器と送風機をユニットして組立性を向上できる。
【００１２】
また、ベース板に冷房手段の取付基板を取付け、取付基板に防振部材を介して圧縮機を取付けるとともに、取付基板に蒸発器と送風機と凝縮器を支持する支持ブラケットを取付けると、ベース板に対する取付基板の着脱によって冷房手段の全体を着脱できるので、組付性や故障時などのメンテナンス性が高く、かつ圧縮機は防振部材を介して取付けられているのでその振動による悪影響を他に及ぼすのを確実に防止できる。
【００１３】
また、凝縮器を水タンクの後背面に沿って配設した蛇行配管部材にて構成すると、凝縮器が水タンクの後背面に沿ったフラットな構成となって、水タンクの排水溝蓋や自動給水ユニットの駆動機構と干渉としないように配設できるとともに、水タンクに対する挿脱も容易に行うことができる。
【００１４】
また、水道水を水タンクに供給する給水配管系を、水タンクの冷房手段配設側とは反対側に配設すると、給水配管系と冷房手段が水タンクの両側に位置することで、中心に配置しなければならない排水口の場所を確保しながら、水タンクの容量を確保することができる。
【００１５】
また、水タンクの前面に沿って制御基板を配設すると、制御基板の配設空間を確保するためにケース内の重量バランスに無理を生じることがなく、かつ制御基板の冷却効果も得ることができる。
【００１６】
また、別の構成として、便器上に固定設置されるベース板上に、洗浄水を貯める水タンクと、圧縮機と凝縮器と減圧器と蒸発器と送風機とを有する冷凍サイクルによる冷房手段とを配設した衛生洗浄装置において、水タンクを中央に排水口を有し両側部が後方に延出された横断面コ字状に構成し、コ字状に囲まれた空間内に冷房手段の圧縮機と減圧器と蒸発器と送風機を配設し、凝縮器は水タンク内に配設しても、上記と同様に、ベース板上に水タンクと冷房手段を配設してケース内に収納しているので、設置スペースがコンパクトで、設置工事や手入れも簡単にでき、かつ冷房手段をコ字状に囲まれた空間に配置しているので直接ベース板に支持させることができ、軽量安価な支持構成にできるとともに左右対称となって便器後部の重量バランスが大変良く、高い安定性を得ることができる。
【００１７】
また、冷房手段は、水タンクが設置された状態でベース板に着脱可能なユニットに構成すると、設置工事やメンテナンスも簡単にできる。
【００１８】
【発明の実施の形態】
以下、本発明の衛生洗浄装置の一実施形態について、図１〜図１０を参照して説明する。
【００１９】
図１〜図６において、１は衛生洗浄装置で、便器２の上面後部に設置された本体部３と、本体部３の前端部に便器２上に設置された姿勢と上方に開いた状態との間で上下回動可能に装着された便座４及び便蓋５にて構成されている。２ａは便器２内のリムである。
【００２０】
本体部３は、便器２上に固定設置されるベース板６上に、便器２を洗浄する洗浄水を貯める水タンク７と、冷房手段８と、局部温水洗浄手段９を設置し、かつそれらをケース１０内に収納して構成されている。ケース１０は、ケース本体１１とその上端開口を覆うケース蓋１２にて構成されており、ケース蓋１２は必要に応じて手洗い手段を設けた構成とされる。
【００２１】
ベース板６上の後部に水タンク７と冷房手段８が配設され、ベース板６上の前部に局部温水洗浄手段９が配設され、ケース本体１１は下部が局部温水洗浄手段９を配設するために前後方向の幅が大きく、上部に向かって後方に向けて漸次幅が狭くなって中間部から上部に向けては水タンク７と冷房手段８を収納できるだけの幅となっている。
【００２２】
水タンク７は、その一側部に冷房手段８の配設空間を形成するように凹欠部１３が形成されている。７ａは、水タンク７の容量を確保するため、凹欠部１３における空き空間内に突出させたタンク突出部である。７ｂは、水タンク７の左右方向の中心位置の底壁前部に形成された排水口である。水タンク７の他側部の上部と下部には水道水を水タンク７内に供給する自動給水手段１４と給水管１５を配設する凹欠部１６ａ、１６ｂが形成されている。
【００２３】
ベース板６の水タンク７の設置部には、水タンク７の表面に結露した結露水を受ける結露水受け（図示せず）が設けられており、溜まった結露水は便器２のリム２ａ内に流出させるように構成されている。水タンク７下部の局部温水洗浄手段９との間には、水タンク７の前面に沿って制御基板１７が配設されている。
【００２４】
冷房手段８は、圧縮機１８と、凝縮器１９と、減圧器２０と、蒸発器２１からなる冷凍サイクルと、蒸発器２１で冷却された空気を送風する送風機２２とを備えており、ベース板６に水タンク７を設置した状態で着脱できるユニットとして構成されている。
【００２５】
すなわち、図７、図８に示すように、冷房手段８は、ベース板６に着脱可能に取付けられる取付基板２３に対して、圧縮機１８の下端部外周に突設された３つの取付ブラケット１８ａをそれぞれ防振部材２４を介して取付けるとともに、この取付基板２３に圧縮機１８の外周の少なくとも一部を覆って上方に延びる支柱部２６と支持板部２７とを有する支持ブラケット２５を取付け、その支持板部２７上に蒸発器２１及び送風機２２を取付けて支持し、圧縮機１８に一端が接続された冷媒配管２８ａと、細管を巻回して構成された減圧器２０を介して蒸発器２１に一端が接続された冷媒配管２８ｂとを、水タンク７内にその上端から挿入できるように延出し、これら冷媒配管２８ａ、２８ｂの他端に蛇行配管部材２９から成る凝縮器１９を接続して構成されており、取付基板２３をベース板６から取外すことにより、一体的に取り外せるように構成されている。なお、凝縮器１９を構成している蛇行配管部材２９は、図２に示すように、水タンク７の後背面に沿って配設されるように構成されている。また、２８ｃは、蒸発器２１と圧縮機１８を接続する冷媒配管である。
【００２６】
細部構成を説明すると、取付基板２３には、図９、図１０に示すように、圧縮機１８の取付ブラケット１８ａに対応して３つの取付ねじ穴３１ａが形成されるとともに、それらの外側位置にベース板６に対する一対の取付穴３０が形成されている。取付ねじ穴３１ａには、スリーブ３２を套嵌した取付ねじ３１の下端部が螺合され、スリーブ３２の外周に上下一対の防振部材２４、２４とその上の座金３３が嵌合されるとともに防振部材２４、２４の間に取付ブラケット１８ａが挟持され、その状態で押圧して締結固定されている。
【００２７】
支持ブラケット２５の支柱部２６は、図１０に示すように、圧縮機１８の外周の一部を覆って立ち上がる横断面形状円弧状で、その下端部の両端外周に取付片２６ａが突設され、スリーブ３２の上端及び座金３３に当接した状態で取付ねじ３１にて締結固定されている。また、支持板部２７は、周囲にリブ２７ａが立ち上げ形成され、蒸発器２１で結露して流下した結露水を受け、圧縮機１８の充電部等に落下するのを防止するように構成している。溜まった結露水は、支持板部２７における圧縮機１８上から離間した位置に形成された流出穴３４からベース板６に形成された上述する結露水受け（図示せず）内に排出される。３５は、取付板部２７に突設された蒸発器２１及び送風機２２の取付片である。
【００２８】
蒸発器２１と送風機２２は、図７に示すように、比較的小さな幅の通風空間３６を介して並列配置した状態で連結されている。具体的には、蒸発器２１の周壁２１ｂを、フィン群２１ａの送風機２２側の端面から通風空間３６の幅に相当する長さだけ長く延出されてその端面に送風機２１が取付けられている。
【００２９】
図１〜図４において、送風機２２の吐出口２２ａ（図６参照）は送風機２２の上面の後部に開口され、その吐出口２２ａにケース本体１１の上端高さまで延びる送風短管３７が接続されている。送風短管３７の上端には一対の接続口が設けられ、ケース本体１１にケース蓋１２を設置した時に、ケース蓋１２に配設されている一対の送風ダクト３８ａ、３８ｂと接続されるように構成されている。送風ダクト３８ａ、３８ｂは、ケース蓋１２の両側部に設けられた吹き出し口４０ａ、４０ｂ部分に向けて延出され、その先端部に設けられた接続部３９ａ、３９ｂが吹き出し口４０ａ、４０ｂに接続されている。
【００３０】
以上の構成においては、便器２上に固定設置されたベース板６上に、水タンク７とその側部に冷房手段８を配設してケース１０内に収納しているので、冷房手段８を水タンク７を配設したケース１０とは別に配設する場合に比して、設置スペースがコンパクトになるとともに、設置工事や手入れも簡単にできる。しかも、冷房手段８を水タンク７の一側部に配置して直接ベース板６にて支持しているので、水タンク７の上部に冷房手段８を配設する場合に比して、軽量安価な支持構成にできるとともに便器後部の重量バランスを良くして高い安定性を得ることができる。
【００３１】
また、ベース板６上に圧縮機１８を配設し、この圧縮機１８の上部のデードスペースに蒸発器２１と送風機２２を配設しているので、冷房手段８をコンパクトに構成できるととともに、重量の大きい圧縮機１８がベース板６上に配設されているので、より一層軽量安価な支持構成にできるとともに便器後部の重量バランスを良くして高い安定性を得ることができる。
【００３２】
また、ベース板６上に、圧縮機１８の周面の少なくとも一部を覆って上方に延びる支柱部２６と圧縮機１８の上部を覆うとともに周縁にリブ２７ａを立ち上げ形成した支持板部２７とを有する支持ブラケット２５を取付け、支持板部２７上に蒸発器２１を設置しているので、蒸発器２１を圧縮機１８の上部に配設しながら、蒸発器２１で発生した結露水は支持板部２７上のリブ２７ａで囲まれた内部に受けられ、流出穴３４からベース板６の結露水受け内に排出されるので、蒸発器２１で発生した結露水や周囲からの飛散水滴が圧縮機１８の充電部などにかかるのを確実に防止することができる。
【００３３】
また、蒸発器２１の周壁２１ｂをフィン群２１ａの端面より長く延出し、その周壁２１ｂの延出端に送風機２２を取付けることで、蒸発器２１と送風機２２を通風空間３６をあけて並列して配設しているので、蒸発器２１と送風機２２の並列配置によってコンパクトな構成とすることができるとともに、それらの間に比較的小さな通風空間３６をあけるだけで蒸発器２１の全面を有効利用できて高い熱効率を確保することができる。また、蒸発器２１と送風機２２をユニットすることで、組立性も向上する。
【００３４】
また、ベース板６に取付基板２３を取付け、この取付基板２３に防振部材２４を介して圧縮機１８を取付けるとともに、取付基板２３に蒸発器２１と送風機２２と凝縮器１９を支持する上記支持ブラケット２５を取付けているので、冷房手段８がベース板６に対して着脱可能なユニットとなり、水タンク７をベース板６に設置した状態で冷房手段８を着脱することができ、組付性や故障時などのメンテナンス性が高く、かつ圧縮機１８は防振部材２４を介して取付けられているのでその振動による悪影響を他に及ぼすのを確実に防止できる。
【００３５】
また、凝縮器１９を水タンク７の後背面の沿って配設した蛇行配管部材２９にて構成しているので、凝縮器１９が水タンク７の後背面に沿ったフラットな構成となり、水タンク７の排水溝蓋や自動給水ユニット１４の駆動機構と干渉としないように配設できるとともに、水タンク７に対する挿脱も容易に行うことができる。
【００３６】
また、水道水を水タンク７に供給する自動給水手段１４や給水管１５を、水タンク７の冷房手段８の配設側とは反対側に配設しているので、水タンク７の両側に給水配管系と冷房手段８が位置するため、中心に配置しなければならない排水口７ａの場所を確保しながら、水タンク７の容量を確保することができる。
【００３７】
また、水タンク７の前面に沿って制御基板１７を配設しているので、制御基板１７の配設空間を確保するためにケース１０内の重量バランスに無理を生じることがなく、かつ制御基板１７の冷却効果も得ることができる。
【００３８】
上記実施形態では、水タンク７の一側部に冷房手段８を配設した例を示したが、図１１に示すように、水タンク７を、中央に排水口７ｂを有し両側部に後方に延出する延出部４１を有するコ字状に構成し、コ字状に囲まれた空間４２内に冷房手段８を配設した構成とすることもできる。なお、この場合も凝縮器１９は水タンク７内に配設される。また、冷房手段８を、上記実施形態と同様に、ユニット化して水タンク７を設置した状態でベース板６に着脱可能な構成とするのが好ましい。
【００３９】
このような構成によれば、上記実施形態と同様にベース板６上に水タンク７と冷房手段８を配設してケース１０内に収納しているので、設置スペースがコンパクトで、設置工事や手入れも簡単にでき、また冷房手段８をコ字状に囲まれた空間４２に配置しているので、軽量安価な支持構成にできるだけでなく、左右対称となって便器２の後部の重量バランスが大変良くなり、高い安定性を得ることができる。さらに、冷房手段８をユニットすることで、設置工事やメンテナンスも簡単にできる。
【００４０】
なお、凝縮器１９を蛇行配管部材で構成して水タンク７内に配設することは、簡素な構成で凝縮熱を放熱できる点で好ましいが、これは一例であり、他に、フィンチューブで構成すると、熱交換効率が高い点で好ましい。
【００４１】
また、減圧器２０を細管を巻回して構成すると、簡素な構成で減圧を行うことができる点で好ましい。また、バルブで構成すると、冷房負荷に応じて減圧度合いを変更できる点で好ましい。さらには、電子制御弁で構成すると、減圧度合いを自動制御で変更できる点で好ましい。
【００４２】
また、送風機２２をシロッコファンで構成すると、蒸発器２１の通気方向と送風機２２の吐出方向を垂直にできる点や、圧力損失に強い点で好ましい。
【００４３】
【発明の効果】
本発明の衛生洗浄装置によれば、以上の説明から明らかなように、便器上に固定設置されるベース板上において水タンクの側部に冷房手段を配設してケース内に収納しているので、設置スペースがコンパクトで、設置工事や手入れも簡単にでき、かつ冷房手段を水タンクの側部に配置しているので直接ベース板に支持させることができ、軽量安価な支持構成にできるとともに便器後部の重量バランスを良くして高い安定性を得ることができる。また、圧縮機上のデッドスペースに蒸発器と送風機を配設することでコンパクトに構成でき、また冷房手段を構成する機器の内で重量の大きい圧縮機をベース板上に配設していることで、より一層軽量安価な支持構成にできるとともに便器後部の重量バランスを良くして高い安定性を得ることができる。また、前記支柱部と支持板部とを有する支持ブラケットの支持板部上に蒸発器を設置しているので、蒸発器を圧縮機の上部に配設しながら蒸発器で発生した結露水や周囲からの飛散水滴が圧縮機の充電部にかかるのを確実に防止できる。
【図面の簡単な説明】
【図１】本発明の衛生洗浄装置の一実施形態の全体構成を示す斜視図である。
【図２】同実施形態の縦断側面図である。
【図３】同実施形態のケースを断面して示した平面図である。
【図４】同実施形態のケースを断面して示した正面図である。
【図５】同実施形態のケースを除去した状態の背面図である。
【図６】同実施形態のケースを除去した状態の斜視図である。
【図７】同実施形態の冷房手段の正面図である。
【図８】同実施形態の冷房手段の平面図である。
【図９】同実施形態のベース板に対する冷房手段の取付部を示す縦断面図である。
【図１０】同実施形態の取付基板と支持ブラケット及びそれらの配置関係を示し、（ａ）は平面図、（ｂ）は側面図である。
【図１１】本発明の衛生洗浄装置の他の実施形態を、ケースを断面して示した平面図である。
【符号の説明】
１  衛生洗浄装置
２  便器
６  ベース板
７  水タンク
８  冷房手段
１０  ケース
１４  自動給水手段
１５  給水管
１７  制御基板
１８  圧縮機
１９  凝縮器
２０  減圧器
２１  蒸発器
２１ａ  フィン群
２１ｂ  周壁
２２  送風機
２３  取付基板
２４  防振部材
２５  支持ブラケット
２６  支柱部
２７  支持板部
２７ａ  リブ
２９  蛇行配管部材
３６  通風空間
４２  コ字状に囲まれた空間
【図１】
0003898514.tif 000002
【図２】
0003898514.tif 000003
【図３】
0003898514.tif 000004
【図４】
0003898514.tif 000005
【図５】
0003898514.tif 000006
【図６】
0003898514.tif 000007
【図７】
0003898514.tif 000008
【図８】
0003898514.tif 000009
【図９】
0003898514.tif 000010
【図１０】
0003898514.tif 000011
【図１１】
0003898514.tif 000012